(57)【要約】【課題】本願発明は、安価で量産に向き反復使用が可能な魚皮以外の人口の素材にて、サビキなどの集魚用釣針を形成しても、水中での自然な動作を可能として、発光性付与による確実な集魚効果を得ることを可能とするものである。【解決手段】本願発明に係る集魚用釣針は、釣部２１と頭部２２とを備え、不織布でできた集魚部材１０を、上記頭部２２へ釣糸で固定し、集魚部材１０の少なくとも表面に、蛍光物質を含浸させた。従って、蛍光物質の発光にて、魚の食い気を喚起すると共に、水中で従来の魚皮と同等の自然な動作を可能として、魚が持つ警戒感を低減した。特に、当該集魚部材１０を不織布を使用して大量生産可能とし、生産性を向上できるものとした。【選択図】          図１
2004180670.tif 000002
【特許請求の範囲】
【請求項１】
釣部と頭部とを備え、不織布でできた集魚部材を、上記頭部へ釣糸で固定し、
集魚部材の少なくとも表面に、蛍光物質を含浸させたことを特徴とする集魚用釣針。
【請求項２】
フックと軸部とを備え、シート状の集魚部材を上記軸部へ固定し、当該集魚部材にて軸部を覆ったサビキ等の集魚用釣針において、
上記集魚部材の表面に蛍光物質を付着させ、或いは、蛍光物質を含有する素材にて、集魚部材を形成し、
集魚部材に対して、表面から裏面に貫通する複数の孔を設けたことを特徴とする集魚用釣針。
【発明の詳細な説明】
【０００１】
【発明の属する技術分野】
本願発明は、集魚用釣針に関する。
【０００２】
【従来の技術】
サビキなどの集魚用釣針については、魚皮を加工して一定の形状に切断して、釣針に釣糸を使用して固定したものが一般的である。釣針に固定された魚皮は、魚を誘引するために使用されるものであり、水の中に入れば水分を吸水する。
このような、従来より集魚を目的として使用される魚皮は、専門的で特殊な方法で加工しなければならない。魚皮は、全体を加工しても各部の厚さが均一でなく、部分的に使用ができなかったり、また、使用する魚種によっては、魚皮を特殊加工しなければならず、更に、原材料となる魚の供給が困難であることもある。
従って、材料費と加工費が多大に所要され、大量生産が不可能であるという、問題があった。
【０００３】
また更に、魚皮を釣針に結んだまま保管すれば、魚皮に含まれている水分によって、釣針が腐蝕する問題があった。
その上、魚皮は、釣りのため、水中に長時間浸けると、魚が食わなくても分解してしまい、反復使用ができず、再び魚皮を釣針に結んで使用しなくてはならなず不便であるという問題があった。
【０００４】
このため、魚皮に代えて、加工がし易く安価で安定した供給が可能であり且つ上記の給水による問題も生じにくい、プラスチックなどの人工的な素材にて、集魚部材を形成することが考えられる。
【０００５】
一方、魚の誘引を顕著にするため、例えば、下記の特許文献１中に示されているように、釣針の軸部に設けた集魚部材（光透過体）に発光性を有するものを採用したものが提案されている。
【０００６】
【特許文献１】
特開２０００−２１７４７１号公報（請求項５及び図４）
【０００７】
しかし、集魚部材に発光性を付与しても、釣針が、オキアミや他の虫餌のように、水中で自然に流れなければ、魚は警戒感を抱き、食いが悪くなる。
一方、上述の魚皮では、上記の吸水性により水に対する馴染みが良く、水中での上記動作は自然であるが、プラスチックで集魚部材を形成した場合、水との馴染みが悪く、仕掛けの自然な動作が得られない。
従って、発光性を帯びたものが、不自然に動くことにより、魚の警戒感は、強まり、不織布やプラスチックで集魚部材を形成したものに発光性を与えても、期待するような釣果は得られなかった。
【０００８】
【発明が解決しようとする課題】
本願発明は、上記の点を鑑み、安価で量産に向き反復使用が可能な魚皮以外の人口の素材にて、サビキなどの集魚用釣針を形成しても、水中での自然な動作を可能として、発光性付与による確実な集魚効果を得ることを可能とするものである。
【０００９】
【課題を解決するための手段】
本願第１の発明に係る集魚用釣針は、釣部２１と頭部２２とを備え、不織布でできた集魚部材１０を、上記頭部２２へ釣糸で固定し、集魚部材１０の少なくとも表面に、蛍光物質を含浸させたことを特徴とする。
【００１０】
本願第２の発明に係る集魚用釣針は、フック２１と軸部２２とを備え、シート状の集魚部材１０を上記軸部２２へ固定し、当該集魚部材１０にて軸部２２を覆ったサビキ等の集魚用釣針であって、下記の構成を採る。即ち、上記集魚部材１０の表面に蛍光物質を付着させ、或いは、蛍光物質を含有する素材にて、集魚部材１０を形成し、集魚部材１０に対して、表面から裏面に貫通する複数の孔１２を設けたものである。
【００１１】
上記本願第１の発明にあっては、水に不溶であり且つ水との馴染みがよい、不織布にて集魚部材１０を形成し、当該不織布に蛍光物質を含浸させることにより、蛍光物質の発光にて、魚の食い気を喚起すると共に、水中で従来の魚皮と同等の自然な動作を可能として、魚が持つ警戒感を低減した。
即ち、釣りに際して、釣針に付けてある集魚部材１０を餌と間違えて魚類が集まるよう集魚部材１０を蛍光物質の含浸にて蛍光させると共に、当該集魚部材１０を不織布を使用して大量生産可能とし、生産性を向上できるものとした。
また、上記本願第２の発明にあっては、上記本第１の発明と同様、集魚部材１０の蛍光にて、魚の食い気を喚起すると共に、集魚部材１０へ、その表面から裏面に貫通する複数の孔１２を形成することにより、集魚部材１０を確実に水を通すものとし、水に馴染んだ中での自然な動作を可能とした。
【００１２】
【発明の実施の形態】
以下、図面に基づき本願発明の実施の形態について説明する。
図１乃至図５へ、本願発明に係る集魚用釣針の一実施の形態を示す。
図１は、この集魚用釣針の全体斜視図である。図２は、この集魚用釣針の集魚部材の斜視図である。図３（Ａ）は上記集魚部材の縦断面図であり、図３（Ｂ）は図３（Ａ）の二点鎖線で囲んだ部分の拡大断面図である。図４は、図２の集魚部材の展開正面図である。図５は、図１に示す小魚用釣針の使用状態を示す斜視図である。
各図において、説明の便宜上、Ｕは上方を、Ｓは下方を、Ｌは左方を、Ｒは右方を、Ｆは前方を、Ｂは後方を、夫々示している。
【００１３】
図１に示す通り、この釣針２０は、フック即ち針部２１と、軸部即ち頭部２２とを備える。この釣針２０は、その頭部２２に一定の形態に形成された集魚部材１０が釣糸２０で固定されている。ここで、一定の形態とは、特に水に溶けたりせず、一定の形状を維持することができるという意味である（変形しないという意味ではない）。但し、釣りをしている間、分解しないものであればよく、完全に水に溶けないものに限定するものではない。
【００１４】
図２〜４へ示す通り上記の集魚部材１０は、不織布１１にて形成され、その表面には蛍光物質１３が含浸されている。不織布は、天然繊維にて形成されもの、例えば、植物繊維（コットン・麻・竹・パルプなど）や動物繊維（羊毛・絹など）を採用することが可能である。また、不織布には、化学繊維を使用することが可能であり、例えば、再生繊維（レーヨン・キュプラ）や、半合成繊維（アセテート）を採用することが可能である。この他、合成繊維（石油等からできる繊維）や、ナイロン（ポリアミド系繊維）、ポリエステル（ポリエステル系繊維）、アクリル（ポリアクリロニトリル系繊維）、ビニロン（ポリビニールアルコール系繊維）、ポリプロピレン（ポリプロピレン系繊維）、ビニリデン（ポリ塩化ビニリデン系繊維）、ポリウレタン（ポリウレタン系繊維）、無機繊維（ガラス繊維・金属繊維・炭素繊維）を採用することが可能である。
上記の化学繊維や合成繊維は、特に、大量生産に適している。但し、環境面で、天然素材が優れる。
また、図３（Ａ）（Ｂ）へ示す通り、上記の不織布１１（集魚部材１０）には、空気が通る通孔１２が形成されている。図示の通り、通孔１２は、不織布（集魚部材１０）の表面から裏面に貫通する孔である。上記のシートの厚みは、０．２ｍｍより小さく、１５μｍより大きい。上記の通孔１２の径は、１ｍｍより小さく、５μｍより大きい。通孔１２の口径が５μｍより小さくなると通水性がなくなる。上記の通り、不織布１１（集魚部材１０）は、その表面に蛍光物質１３（斑点で示す部位である。）を含浸させて形成してある。
【００１５】
図４に示す通り、この不織布１１（集魚部材１０）は、上，下、左，右頂点１４ａ  ，１４ｂ  ，１４ｃ  ，１４ｄを有する四角形である。この四角形の両対角線（仮想線１４ａ−１４ｂと仮想線１４ｃ−１４ｄ）の交点１５と、左，右頂点１４ｃ  ，１４ｄの間の幅Ｒ１，Ｒ２を同一とするように形成する。また、交点１５から上頂点１４ａまでの幅Ｒ３より、交点１５から下頂点１４ｂまでの幅Ｒ４を長く形成する。不織布を裁断することにより、このような形状に形成し、集魚部材１０とする。
このように形成される菱形の集魚部材１０の上頂点１４ａから下頂点１４ｂ間を二等分に折る（仮想線１４ａ−１４ｂを折り目として不織布を左右二つ折りにする）。
このように形成された集魚部材１０の上頂点１４ａから下頂点１４ｂに掛けて折った状態にして、上頂点１４ａ側を釣糸２３で釣り針２０の頭部２２に結び、釣針に集魚部材１０を固定する。このとき、二つ折りにされた集魚部材１０の谷折側に釣針の頭部２２を収容し、釣部２１を二つ折りにされた集魚部材１０の間から外部へ露出させる。
【００１６】
上記の通り、左右対称な形状に集魚部材１０が形成され、更に、通孔１２…１２が全体に分布するように形成された集魚部材１０は、水中にいる餌と同様の自然な動きを実現し、発光させて目立たせても、魚に違和感を与えない。
特に、上記の通孔１２…１２の形成によって、形状維持のために吸水性を持たないものとしても（水を弾く素材で形成しても）、水や気泡の通りが良く、水が自然に流れる。従って、水の表面張力で不自然な動きを示すことなく、水中で生息する餌が泳ぐのと同様、釣針を自然な状態に流すことができる。
【００１７】
上記において、集魚部材１０は、不織布にて形成するものとしたが、不織布に代え、プラスチックなどの水に不溶で、水中で一定の形態を維持することが可能な素材にて形成することが可能である。その場合、シート状のプラスチックにて、集魚部材１０を形成すると共に、上記と同様、シートの表面から裏面に貫通する上記の通孔１２…１２を形成する。
また、上記において、集魚部材１０は、二つ折りにして形成するものとしたが、折らずに、釣針の頭部２２に巻きつけるものとしても実施可能である（図示しない）。
【００１８】
不織布にて、集魚部材１０を形成する場合、上記の通孔１２…１２については、不織布の生地自体が有する通気性や通水性よりも、大きな通気性や通水性を確保することが可能な大きさのものとする。
【００１９】
但し、上記のように、通孔１２…１２を積極的に形成するのではなく、不織布の生地が本来有する空隙を、上記の通孔１２…１２として利用することも可能である。
【００２０】
また、釣針の頭部２２への集魚部材１０の固定は、上記の通り、釣り糸を利用する他、接着剤などの周知の他の固定手段を用いて実施することができる。釣り糸を用いて固定する場合も、道糸を用いる他、ハリスを用いてもよく、更には、固定専用の糸を用いて結ぶものとしても実施可能である。
【００２１】
尚、集魚部材１０の形状は、上記の菱形に限定するものではなく、種々変形可能である。また、集魚部材１０は、全体がシート状に形成されたものに限定するものではなく、一部のみシート状に形成され、当該シート状の部分に上記の通孔１２…１２が形成されたものとして実施することが可能である（図示せず）。
【００２２】
【発明の効果】
本願第１及び第２の発明の実施によって、集魚部材に、夜光物質として蛍光物質を含浸させ或いは塗布して、発光性のある餌を模擬させても、その自然な動きで、魚を容易に騙すことができる、集魚効果に優れた釣針を提供し得た。
また、上記本願発明の実施によって、釣針に集魚部材を固定した状態で保管をしても釣り針が腐蝕する恐れもなく、水の中で長時間使用しても分解しない、反復使用が可能な集魚用釣針を提供し得た。特に、低コストにて、効果的な集魚を可能とし、疑似餌でも大きな釣果を得ることができる。更に、大量生産が可能な集魚部材を付着した集魚用の釣針２０を提供し得た。
【図面の簡単な説明】
【図１】本願発明の一実施の形態に係る集魚用釣針の全体斜視図である。
【図２】上記集魚用釣針の集魚部材の斜視図である。
【図３】（Ａ）は図２に示す集魚部材の縦断面図であり、（Ｂ）はその要部拡大断面図である。
【図４】図２に示す集魚部材の展開正面図である。
【図５】上記集魚用釣針の使用状態を示す斜視図である。
【符号の説明】
１０    集魚部材
１２    通孔
１３    蛍光物質
１４ａ  上頂点
１４ｂ  下頂点
１４ｃ  左頂点
１４ｄ  右頂点
１５    交点
２０    釣針
２１    釣部
２２    頭部
【図１】
2004180670.tif 000003
【図２】
2004180670.tif 000004
【図３】
2004180670.tif 000005
【図４】
2004180670.tif 000006
【図５】
2004180670.tif 000007